(57)【要約】【課題】会員カードを受け付ける機能、一般カードを発行する機能、他の遊技媒体貸出装置で発行された一般カードを受け付ける機能とを具備させて会員および会員以外の一般客の利便をはかる。【解決手段】玉貸機１は一般カードまたは会員カードを１枚だけ受け付ける２個のカード受付口１５，１６を備える。制御装置はカード検出器からの検出信号とカード読取器からの読取信号とから各カード受付口１５，１６におけるカードの有無とカードの種別とカードの金額価値とを判別し、その判別結果に基づいて、一方のカード受付口でカードが受け付けられているときはそのカードについて、両方のカード受付口でカードが受け付けられているときは優先順位が高いカードについて、入金処理と貸出処理との少なくとも一方を実行可能とする。【選択図】図３
2005160714.tif 000002
【特許請求の範囲】
【請求項１】
特定の遊技機に遊技媒体を貸し出すための遊技媒体貸出装置であって、貨幣を受け付ける貨幣受付口と、特定人に付与される第１の記憶媒体と不特定人に付与される第２の記憶媒体とのいずれかを１個だけ受け付けることが可能な２個の記憶媒体受付口と、各記憶媒体受付口で受け付けられた記憶媒体をそれぞれ検出する検出器と、各記憶媒体受付口で受け付けられた記憶媒体よりそれぞれ所定の情報を読み取る読取器と、各検出器からの検出信号と各読取器からの読取信号とから各記憶媒体受付口における記憶媒体の有無と第１、第２の記憶媒体の種別と記憶媒体の金額価値とを判別する制御装置とが備えられており、前記制御装置は、前記判別結果に基づいて、一方の記憶媒体受付口で記憶媒体が受け付けられているときはその記憶媒体について、両方の記憶媒体受付口で記憶媒体が受け付けられているときは優先順位が高い記憶媒体について、前記貨幣受付口で受け付けられた貨幣の金額に応じた金額価値を付与する入金処理と所定の金額価値に相当する個数の遊技媒体を前記特定の遊技機へ貸し出す貸出処理との少なくとも一方を実行可能とする遊技媒体貸出装置。
【請求項２】
前記読取器は、第１、第２の各記憶媒体より金額価値データを含む所定の情報を読み取る機能と第１、第２の各記憶媒体に金額価値データを書き込む機能とを有するものである請求項１に記載された遊技媒体貸出装置。
【請求項３】
前記制御装置は、一方の記憶媒体受付口で記憶媒体が受け付けられているとき、その記憶媒体受付口が優先順位の高い記憶媒体受付口であることを条件として、入金処理と貸出処理との少なくとも一方を実行可能とする請求項１に記載された遊技媒体貸出装置。
【請求項４】
前記制御装置は、一方の記憶媒体受付口で金額価値がゼロの第２の記憶媒体が、他方の記憶媒体受付口で金額価値がゼロでない第２の記憶媒体が、それぞれ受け付けられているとき、金額価値がゼロでない第２の記憶媒体を優先順位の高い記憶媒体として、入金処理と貸出処理とを実行可能とする請求項１に記載された遊技媒体貸出装置。
【請求項５】
前記制御装置は、両方の記憶媒体受付口で金額価値がゼロの第２の記憶媒体がそれぞれ受け付けられているとき、優先順位が高い記憶媒体受付口で受け付けられている第２の記憶媒体を優先順位の高い記憶媒体として、入金処理を実行可能とする請求項１または４に記載された遊技媒体貸出装置。
【請求項６】
前記制御装置は、一方の記憶媒体受付口で第２の記憶媒体が、他方の記憶媒体受付口で第１の記憶媒体が、それぞれ受け付けられているとき、第１の記憶媒体を優先順位の高い記憶媒体として、入金処理と貸出処理との少なくとも一方を実行可能とする請求項１，４，５のいずれかに記載された遊技媒体貸出装置。
【発明の詳細な説明】
【技術分野】
【０００１】
この発明は、パチンコホールなどの遊技場において、例えば、近傍に位置する特定の遊技機にパチンコ玉や遊技用メダルのような遊技媒体を貸し出すための遊技媒体貸出装置に関する。
【背景技術】
【０００２】
近年のパチンコホールでは、カード状の記憶媒体（以下、単に「カード」という。）を利用した遊技媒体の貸出システムが導入されている。この貸出システムはパチンコ機やスロットマシンのような遊技機に隣接して「台間機」や「カードユニット」などと呼ばれる遊技媒体貸出装置を配置して構成されている。遊技機と遊技媒体貸出装置との間は相互に信号のやり取りが可能なように電気的に接続されている。遊技媒体貸出装置は金額価値が一定値以上のカードを受け付けたとき貸出処理が可能となる。この状態下で遊技者が貸出操作を行うとき、隣接する遊技機に遊技媒体の貸出を要求する貸出要求信号が送られる。遊技機では貸出要求信号を受けて貸出処理が実行される。例えば遊技機がパチンコ機であれば受け皿にパチンコ玉が放出される。
【０００３】
この種の遊技媒体貸出装置において、カードによる遊技媒体の貸出機能に加えて、貨幣を受け付けてカードを発行する発券機能を備えたものが提案されている（例えば、特許文献１参照）。
【０００４】
【特許文献１】特許３３１３７０１号公報
【０００５】
この遊技媒体貸出装置では金額価値がゼロのカードを１枚ストックしておくための収容部と、データの読み書きのためにカードを取り込んで待機させる待機部とが、それぞれ機械内部に一列に設けられている。
貨幣が受け付けられると、前記収容部にストックされているカードが搬出され、カードに金額価値データを含む情報（以下「カード情報」という。）が書き込まれてカード受付口まで搬送される。その後、遊技者がカード投入操作を行うと、カードが待機部まで取り込まれてカード情報が読み取られる。遊技者が貸出操作を行うと、遊技機に貸出要求信号が出され、カードの金額価値より所定の金額価値が引き落とされる。遊技機では、貸出要求信号を受けて、引き落とされた金額価値に相当する個数の遊技媒体が放出される。
【０００６】
前記カード受付口は他の遊技媒体貸出装置で発券されたカードを受け付けることが可能となっている。そのカードがカード受付口に挿入されると、カードは前記待機部に取り込まれてカード情報が読み取られる。遊技者が貸出操作を行うと、遊技機に貸出要求信号が出され、カードの金額価値より所定の金額価値が引き落とされる。カードの金額価値がゼロになると、収容部にカードがストックされていれば、金額価値がゼロになっているカード（以下「空のカード」という。）はカード受付口へ搬出されるが、収容部にカードがストックされていなければ、空のカードは収容部に取り込まれる。
【０００７】
ところで、最近のパチンコホールでは、不特定人を対象として付与されるカード（以下「一般カード」という。）だけでなく、特定人（会員）を対象として付与されるカード（以下「会員カード」という。）を発行して遊技媒体の貸出に利用できるようにした遊技媒体の貸出システムが導入されている（例えば、特許文献２参照）。
【０００８】
【特許文献２】特開２０００−１２６４３５号公報
【０００９】
この貸出システムは、顧客の固定化と新たな客の取込みとを狙ったものであり、例えば、会員カードに遊技媒体の獲得数（例えば、パチンコ玉の持玉数）を記憶させて利用させる機能を持たせるなどして、会員に特別の便宜をはかっている。この種の遊技媒体貸出装置では一般カードを受け付けるカード受付口の他に、会員カードを受け付けるカード受付口が別個に設けられている。
【発明の開示】
【発明が解決しようとする課題】
【００１０】
しかしながら、特許文献１に記載の遊技媒体貸出装置では、他の遊技媒体貸出装置で発行されたカードを使用できるようにするために、機械の内部に１枚のカードをストックするための収容部と、カードを取り込んで待機させる待機部とを設ける必要がある。そのために、機械の内部構造が複雑となり、特に機械の奥行きが大きなものとなる。また、会員カードが使用できる構造になっていないため、会員の利便をはかることができない。
【００１１】
一方、特許文献２に記載の遊技媒体貸出装置は、会員カード用のカード受付口を設けて会員の利便をはかっているが、一般カードを発行する発券機能がないため、会員以外の一般客はわざわざカード発行機まで出向いて一般カードを購入する必要があり、会員以外の利便がはかられていない。
【００１２】
この発明は、上記問題に着目してなされたもので、会員のような特定人に付与される記憶媒体を受け付ける機能、会員以外の不特定人に付与される記憶媒体を発行する機能、他の遊技媒体貸出装置で不特定人のために発行された記憶媒体を受け付ける機能とを具備させることによって、会員のみならず会員以外の一般客の利便もはかることができる遊技媒体貸出装置を提供することを目的とする。
【課題を解決するための手段】
【００１３】
この発明による遊技媒体貸出装置は、特定の遊技機に遊技媒体を貸し出すためのものであって、貨幣を受け付ける貨幣受付口と、特定人に付与される第１の記憶媒体と不特定人に付与される第２の記憶媒体とのいずれかを１個だけ受け付けることが可能な２個の記憶媒体受付口と、各記憶媒体受付口で受け付けられた記憶媒体をそれぞれ検出する検出器と、各記憶媒体受付口で受け付けられた記憶媒体よりそれぞれ所定の情報を読み取る読取器と、各検出器からの検出信号と各読取器からの読取信号とから各記憶媒体受付口における記憶媒体の有無と第１、第２の記憶媒体の種別と記憶媒体の金額価値とを判別する制御装置とが備えられている。
前記制御装置は、前記判別結果に基づいて、一方の記憶媒体受付口で記憶媒体が受け付けられているときはその記憶媒体について、両方の記憶媒体受付口で記憶媒体が受け付けられているときは優先順位が高い記憶媒体について、前記貨幣受付口で受け付けられた貨幣の金額に応じた金額価値を付与する入金処理と所定の金額価値に相当する個数の遊技媒体を前記特定の遊技機へ貸し出す貸出処理との少なくとも一方を実行可能とするものである。
【００１４】
この発明の上記した構成において、「第１の記憶媒体」や「第２の記憶媒体」は、典型的にはＩＣカードや磁気カードのようなカード状の記憶媒体であるが、これに限らず、メモリスティック、円盤状のＩＣチップなど、カード状でない記憶媒体を用いることも可能である。
【００１５】
また、各カード受付口は第１、第２の各記憶媒体を受け付けることが可能となっているが、ここで「記憶媒体を受け付ける」とは、必ずしもその記憶媒体を機体内に取り込むことを意味しない。要するに、記憶媒体に対するカード情報の読み書きが可能な状態になっていればよい。なお、受け付けられた記憶媒体はロック保持するなど、容易に抜き取ることができないようにする。
【００１６】
「読取器」は、記憶媒体がＩＣカードであれば、記憶媒体に埋設されたＩＣチップとの対向位置に配置されるアンテナコイルを含む送受信回路をもって構成される。記憶媒体が磁気カードであれば、記憶媒体に設けられた磁気塗膜部との対向位置に配置される磁気ヘッドをもって構成される。
【００１７】
第１、第２の各記憶媒体への金額価値の付与は、記憶媒体の情報記憶部に金額や度数などの金額価値データを書き込むことにより実現し得るが、発行された全ての記憶媒体を管理する管理装置を設けて管理装置と各遊技媒体貸出装置との間で通信を行うような貸出システムであれば、必ずしも記憶媒体に金額価値データを書き込む必要はない。すなわち、各記憶媒体に固有の識別情報を記憶させ、管理装置に各記憶媒体の金額価値を識別情報と対応付けて記憶することによって、記憶媒体への金額価値の付与を実現できる。このような貸出システムでは、記憶媒体を受け付けると、その記憶媒体の識別情報を管理装置に送信して金額価値データの返送を受けることになる。また、貸出処理に伴って金額価値データを更新するときにも、同様に管理装置との間で通信を行うことになる。
以上のことから、この発明における「読取器」は、少なくとも記憶媒体よりカード情報を読み取る機能を具備していればよい。
【００１８】
好ましい実施態様によれば、金額価値データは記憶媒体と管理装置とに記憶させるのが望ましい。そのようにすれば、受け付けた記憶媒体に記憶されている金額価値データと管理装置に記憶されている金額価値データとが照合できるので、データの改ざんなどの不正行為を防止することができる。
従って、この発明の好ましい実施態様においては、「読取器」は第１、第２の各記憶媒体より金額価値データを含む所定の情報を読み取る機能と、第１、第２の各記憶媒体に金額価値データを書き込む機能とを有するものである。
【００１９】
この発明の上記した構成において、「制御装置」はプログラムされたコンピュータによって実現することができ、また、専用のハードウェア回路によっても実現することができる。
「制御装置」は第１、第２の各記憶媒体について入金処理と貸出処理とを実行するための制御を行うが、ここでの「入金処理」は、記憶媒体に金額価値を付与する処理であるから、金額価値を有する記憶媒体を新たに発行する処理と発行済の記憶媒体の金額価値を追加する処理とを含んでいる。
また、「貸出処理」は、遊技媒体を特定の遊技機に貸し出す処理であるが、具体的な実施態様としては、遊技機に前記した貸出要求信号を送信することにより実現できる。貸出要求信号を受けた遊技機は、パチンコ機であれば所定数のパチンコ玉を受け皿に払い出し、スロットマシンであれば所定数のメダルを受け皿に払い出すか、電子データとしての貯留メダル数を所定数だけ加算する。
【００２０】
この発明による遊技媒体貸出装置では、一方の記憶媒体受付口で記憶媒体が受け付けられているときはその記憶媒体について入金処理と貸出処理との少なくとも一方を実行可能とするので、一方の記憶媒体受付口に金額価値がゼロの第２の記憶媒体が受け付けられた状態に保持しておけば、会員以外の一般客は貨幣受付口に貨幣を投入することにより第２の記憶媒体の発行を受けることができ、わざわざ発行機まで出向いて第２の記憶媒体を購入する必要がない。
また、一方の記憶媒体受付口に金額価値がゼロでない第２の記憶媒体を挿入すると、その第２の記憶媒体による貸出処理が可能となり、さらに、入金処理（この場合は金額価値の追加）も可能である。
また、一方の記憶媒体受付口に第１の記憶媒体を挿入すると、その第１の記憶媒体による入金処理が可能となり、その後、その記憶媒体による貸出処理が可能となる。
【００２１】
また、両方の記憶媒体受付口で記憶媒体が受け付けられているときは優先順位が高い記憶媒体について入金処理と貸出処理との少なくとも一方を実行可能とするので、たとえ一方の記憶媒体受付口に金額価値がゼロの第２の記憶媒体を受け付けた状態に保持しておいても、他の遊技媒体貸出装置や専用の記憶媒体発行装置で発行された第２の記憶媒体や第１の記憶媒体を他方の記憶媒体受付口にセットすることにより、その記憶媒体による貸出処理や入金処理が可能となる。
【００２２】
この発明の好ましい実施態様においては、前記制御装置は、一方の記憶媒体受付口で記憶媒体が受け付けられているとき、その記憶媒体受付口が優先順位の高い記憶媒体受付口であることを条件として、入金処理と貸出処理との少なくとも一方を実行可能とする。
この実施態様によると、優先順位の高い記憶媒体受付口に金額価値がゼロの第２の記憶媒体が受け付けられた状態に保持しておくことにより、会員以外の一般客は貨幣受付口に貨幣を投入すれば記憶媒体の発行を受けることができ、わざわざ発行機まで出向いて第２の記憶媒体を購入する必要がない。
また、この実施態様によると、優先順位の低い記憶媒体受付口に記憶媒体が受け付けられても、その記憶媒体について入金処理や貸出処理は実行可能とならない。この場合、その記憶媒体は記憶媒体受付口より返却するようにする。
【００２３】
さらに好ましい実施態様においては、前記制御装置は、一方の記憶媒体受付口で金額価値がゼロの第２の記憶媒体が、他方の記憶媒体受付口で金額価値がゼロでない第２の記憶媒体が、それぞれ受け付けられているとき、金額価値がゼロでない第２の記憶媒体を優先順位の高い記憶媒体として、入金処理と貸出処理とを実行可能とする。
この実施態様によると、一方の記憶媒体受付口に金額価値がゼロの第２の記憶媒体を受け付けた状態に保持されていても、他の遊技媒体貸出装置や専用の記憶媒体発行装置で発行された第２の記憶媒体を他方の記憶媒体受付口にセットすれば、その記憶媒体による貸出処理が可能となり、さらに、入金処理（この場合は金額価値の追加）も可能となる。
【００２４】
さらにまた好ましい実施態様においては、前記制御装置は、両方の記憶媒体受付口で金額価値がゼロの第２の記憶媒体がそれぞれ受け付けられているとき、優先順位が高い記憶媒体受付口で受け付けられている第２の記憶媒体を優先順位の高い記憶媒体として、入金処理を実行可能とする。
この実施態様によると、優先順位が低い記憶媒体受付口で受け付けられた第２の記憶媒体については入金処理も貸出処理も実行可能でないから、その記憶媒体は記憶媒体受付口より返却するようにする。
【００２５】
さらにまた、好ましい実施態様においては、前記制御装置は、一方の記憶媒体受付口で第２の記憶媒体が、他方の記憶媒体受付口で第１の記憶媒体が、それぞれ受け付けられているとき、第１の記憶媒体を優先順位の高い記憶媒体として、入金処理と貸出処理との少なくとも一方を実行可能とする。
この実施態様によると、たとえ第１の記憶媒体の金額価値がゼロであっても、第１の記憶媒体を優先的に利用することが可能であるので、特定人の利便がはかられる。
【発明の効果】
【００２６】
この発明によれば、例えばパチンコホールなどの遊技場において、会員に付与される記憶媒体を受け付ける機能、会員以外の一般客に付与される記憶媒体を発行する機能、他の遊技媒体貸出装置で一般客用に発行された記憶媒体を受け付ける機能とを具備させているので、会員および会員以外の一般客の利便をはかることができる。
【発明を実施するための最良の形態】
【００２７】
図１は、この発明の一実施例である玉貸機１が導入されたパチンコホールの玉貸システムの構成を示している。
この玉貸システムは、パチンコホールにおいて、金額価値が付与された一般カードおよび会員カードによりパチンコ玉の貸出処理を行うためのものであり、パチンコホール内の全てのパチンコ機２にそれぞれ隣接して配備した複数台の玉貸機１と、一般カードを発行するカード発行装置３と、一般カードや会員カードの残った金額価値を精算するための精算装置４と、発行された一般カードや会員カードを管理するための管理装置５とで構成されている。
【００２８】
各玉貸機１、カード発行装置３、精算装置４、および管理装置５は、双方向性の通信回線１０を介して相互に通信することが可能なように電気接続されている。なお、各玉貸機１は島８毎に配備された中継装置７を介して前記通信回線１０に接続されている。
【００２９】
パチンコホールでは、会員登録をした遊技者に対して球貸システムを利用するための会員カードを発行している。この会員カードは、遊技者（会員）に固有に付与されたＩＤ番号などを記憶させたＩＣカードであって、所定の手続きを完了した会員に対して付与される。この会員カードには、初期設定時にゼロまたは所定の金額価値分の度数データが設定される。
【００３０】
パチンコホールでは会員以外の一般客も球貸システムを利用できるように、前記カード発行装置３や各玉貸機１で一般カードを発行している。カード発行装置３や各玉貸機１は貨幣を受け付けて前記会員カードと同一規格のＩＣカードを一般カードとして発行する。一般カードには投入貨幣の金額に応じた金額価値分の度数データが書き込まれる。会員カードおよび一般カードに書き込まれたカード情報は管理装置５に登録されて管理される。
【００３１】
各玉貸機１は隣接する特定のパチンコ機２と電気接続されており、両者間で相互に信号のやり取りを行っている。各玉貸機１には一般カードや会員カードを受け付けて各カードに対するカード情報の読み書きを行うカード処理機と紙幣を取り込んで処理する紙幣処理機とが組み込まれている。
【００３２】
玉貸機１は、カード処理機によってカードが受け付けられた状態で紙幣処理機が貨幣を受け付けたとき、前記カードに貨幣の金額に相当する金額価値分の度数データが書き込まれる。この処理を「入金処理」という。この「入金処理」には一般カードに最初に金額価値を付与するときの「発券処理」と、発行済のカードに金額価値を追加して付与するときの「追加購入処理」とが含まれる。
【００３３】
また、カード処理機によってカードが受け付けられた状態で遊技者が貸出操作を行うと、カードより所定の度数データが引き落とされ、その引き落とし分のパチンコ玉が隣のパチンコ機２に貸し出される。この処理を「貸出処理」といい、パチンコ機２に対して貸出要求信号を送出してパチンコ機２の側でパチンコ玉を放出させる。
【００３４】
上記した構成の玉貸システムにおいて、各玉貸機１や精算装置４がカードを受け付けると、管理装置５との間で交信し、受け付けたカードのカード情報を照合する。もし、カード情報が適正であれば、そのカードに対する貸出などの処理が進められる。また、入金処理（発券処理）において、一般カードを発行する際には、管理装置５との間で交信し、発行するカードに書き込んだカード情報を管理装置５に登録する。さらに、貸出処理や入金処理（追加購入）の過程で、金額価値を書き換える際にも、管理装置５との間で交信し、該当するカードについてのカード情報を書き換える。さらにまた、カード発行装置３が一般カードを発行する際にも、同様に管理装置５との間で交信し、発行するカードに書き込んだカード情報を管理装置５に登録する。
【００３５】
管理装置５は、各装置との通信によりパチンコホール内を流通する全てのカードについてカード情報を登録して管理するとともに、閉店時には、登録されたカード情報を用いて各会員のカード利用状況を示すデータを作成したり、パチンコホールにおけるカードの利用数、玉貸処理に使用された度数の総額、精算装置４での精算金の総額などを集計する。
なお、この実施例の玉貸システムでは、管理装置５が全てのカードのカード情報を一元管理しているが、これに限らず、玉貸機１やカード発行装置３で発券された一般カードについてはその発券元の装置がカード情報を分散管理するようにしてもよい。この場合、各玉貸機１が他の装置で発券された一般カードを受け付けたとき、発券元の装置と交信してカード情報の転送を受けてから貸出処理などを行うことになる。
【００３６】
なお、ここでは、玉貸機１以外の装置については、詳細な構成の説明を省略するが、いずれの装置も、上記した各処理を実行するためのプログラムが組み込まれたコンピュータを制御主体とするものである。
【００３７】
前記会員カードには、度数データの他、ＩＤ番号、カードの識別番号、有効期限などが書き込まれるが、パチンコ玉の獲得数（持玉数）を記憶させるようにしてもよい。一般カードには度数データやカードの識別番号などが書き込まれる。
【００３８】
図２は、隣接する玉貸機１とパチンコ機２とを示している。
同図中、２１はパチンコ機２の遊技盤、２２はパチンコ玉発射用の操作ハンドル、２３，２４は貸出用および入賞用の各パチンコ玉の払出口、２５，２６は各払出口２３，２４から放出されたパチンコ玉の受け皿である。
前記パチンコ玉の受け皿２５の前面には、残度数表示器３１、貸出可表示ランプ３２、貸出スイッチ３３、返却スイッチ３４が配備されている。
【００３９】
前記玉貸機１の前面には、図３に示すように、貨幣受付口１１、機械状態を知らせる表示ランプ１２、リモコン受光部１３、テンキー１４、２個のカード受付口１５，１６、カード受付状態を知らせる表示ランプ１７などが設けられている。
この実施例では、貨幣は貨幣受付口１１において千円札、五千円札、および一万円札が受け付けられる。貨幣受付口１１の内側には、受け付けられた紙幣を識別して機械背後の紙幣回収路（図示せず。）に導くための紙幣処理機５０が組み込まれている。なお、紙幣回収路は島８に沿って延び、島８内の各玉貸機１で受け付けられた紙幣を島端の金庫（図示せず。）まで搬送する。
【００４０】
２個のカード受付口１５，１６は、会員カードと一般カードとのいずれかを１枚だけ受け付けることが可能である。各カード受付口１５，１６の内側には、ＩＣカード対応のカード処理機４０がそれぞれ組み込まれている。各カード処理機４０は、図４に示すように、カード（図中、斜線で示す。）を取り込んで保持するためのカード保持空間４１を有している。カード受付口１５，１６からカード保持空間４１への入口には一対のソレノイド４２ａ，４２ｂより成るロック機構４３が設けられている。このロック機構４３は、カード保持空間４１に導入されたカードをロック保持するためのものである。カード保持空間４１のカード通過路沿いには、受け付けたカードを検出する複数個の光センサ４４ａ〜４４ｄより成るカード検出器４５と、非接触通信によってカードに対するカード情報の読み書きを行うためのアンテナコイルを含む送受信回路より成るカード読取器４６とが配置されている。また、カード保持空間４１の奥の位置には、カードをカード受付口１５，１６へ押し出すためのばね４７が配置されている。
【００４１】
上位置のカード受付口１５は、下位置のカード受付口１５より優先順位が高いものとなっている。上位置のカード受付口１５のカード保持空間４１内には、一般カードの発券に備えて、金額価値がゼロの一般カードをロック保持させてある。従って、カード受付口１５にカードが存在しない場合には、係員は金額価値がゼロの一般カードを１枚補充する。
【００４２】
上位置のカード受付口１５に一般カードが受け付けられた状態のとき、入金処理が実行可能な状態にある。その一般カードの金額価値がゼロでない場合、または入金があった場合はさらに貸出処理が実行可能な状態となる。この状態では機械状態の表示ランプ１２は黄色に点灯し、処理可能な状態であることが係員に知らされる。
【００４３】
上位置のカード受付口１５に会員カードが受け付けられた状態のときも、入金処理が実行可能な状態にある。その会員カードの金額価値がゼロでない場合、または入金があった場合はさらに貸出処理が実行可能な状態となる。この状態では、機械状態の表示ランプ１２は緑色に点灯し、処理可能な状態であることが係員に知らされる。
【００４４】
もし、いずれのカード受付口１５，１６にもカードが受け付けられていなければ入金処理も貸出処理も実行不可能な状態にある。この状態では機械状態の表示ランプ１２は青色に点灯し、係員に金額価値がゼロの一般カードの補充を要求する。
【００４５】
上位置のカード受付口１５は下位置のカード受付口１６より優先順位が高いので、上位置のカード受付口１５に金額価値がゼロのカードが受け付けられている状態において下位置のカード受付口１６に金額価値がゼロのカードが受け付けられると、上位置のカード受付口１５に受け付けられた一般カードについて入金処理、さらには入金があった後は貸出処理が実行可能となる。下位置のカード受付口１６で受け付けられた一般カードについては係員によるリモコン操作によりロック解除されて排出される。両方のカード受付口１５，１６に金額価値がゼロのカードが受け付けられた状態では機械状態の表示ランプ１２は赤色に点灯し、下位置のカード受付口１６に受け付けられたカードの回収を係員に要求する。
【００４６】
この実施例においては、カードについても優先順位が定められており、会員カードと一般カードとでは会員カードの方が優先順位の高いものとしている。また、金額価値がゼロでない一般カードと金額価値がゼロの一般カードとでは金額価値がゼロでない一般カードの方が優先順位の高いものとしている。
【００４７】
上位置のカード受付口１５に金額価値がゼロの一般カードが受け付けられている状態において下位置のカード受付口１６に金額価値がゼロでない一般カードが受け付けられると、下位置のカード受付口１６に受け付けられた一般カードについて貸出処理と入金処理（この場合追加購入処理）が実行可能となる。この状態では、機械状態の表示ランプ１２は黄色に点灯し、処理可能な状態であることが係員に知らされる。
【００４８】
しかし、下位置のカード受付口１６の一般カードの金額価値がゼロになると、上位置のカード受付口１５の一般カードが優先順位が高くなり、上位置のカード受付口１５に受け付けられた一般カードについて入金処理、さらには入金があった後は貸出処理が実行可能となる。下位置のカード受付口１６で受け付けられた一般カードについては係員によるリモコン操作によりロック解除されて排出される。下位置のカード受付口１６の一般カードの金額価値がゼロになったとき、その時点で機械状態の表示ランプ１２は黄色の点灯から赤色の点灯に変わり、下位置のカード受付口１６に受け付けられたカードの回収を係員に要求する。
【００４９】
つぎに、上位置のカード受付口１５に一般カードが受け付けられている状態において下位置のカード受付口１６に会員カードが受け付けられると、下位置のカード受付口１６に受け付けられた会員カードについて貸出処理や入金処理が実行可能となる。この状態では、機械状態の表示ランプ１２は緑色に点灯し、処理可能な状態であることが係員に知らされる。
この実施例では、会員カードと一般カードとの間の優先順位は、金額価値の有無を問わず会員カードの方が一般カードより優先順位が高いものとしているが、例えば、金額価値がゼロでない会員カード、金額価値がゼロでない一般カード、金額価値がゼロの会員カード、金額価値がゼロの一般カードの順で優先順位を定めてもよい。
【００５０】
なお、図３において、リモコン受光部１３は係員がリモコン操作する携帯送受信機からの光信号を受光する部分である。この送受信機のリモコン操作は、例えば、不要な一般カードを回収するときに実行される。テンキー１４は会員が会員カードを使用する際に本人認証のためにＩＤ番号を入力するのに用いられる。カード受付状態の表示ランプ１７は２個のカード受付口１５，１６の中間位置にあり、各カード受付口１５，１６にカードが受け付けられているかどうかを点灯表示する。
【００５１】
また、図２において、パチンコ機２の側に設けられている残度数表示器３１、貸出可表示ランプ３２、貸出スイッチ３３、および返却スイッチ３４は、電気的には玉貸機１の側の制御装置９（図５に示す。）に接続されている。
残度数表示器３１はカードが現在保有する金額価値、すなわち、度数データを表示するためのものである。貸出スイッチ３３は遊技者がパチンコ玉の貸出を要求するのに操作される。返却スイッチ３４は遊技者がカードの返却を要求するのに操作される。貸出可表示ランプ３２はカード受付後に貸出処理が可能な状態になったときに点灯する。前記貸出スイッチ３３の操作は貸出可表示ランプ３２が点灯しているときのみ有効である。
【００５２】
図５は、玉貸機１の電気的な構成を示している。図中、９はマイクロコンピュータより成る制御装置であって、制御主体であるＣＰＵ９０にＲＯＭ９１とＲＡＭ９２とを含むメモリが接続されている。ＣＰＵ９０にはバス９３を介して機械状態の表示ランプ１２、カード受付状態の表示ランプ１７、残度数表示器３１、貸出可表示ランプ３２、貸出スイッチ３３、返却スイッチ３４、テンキー１４、紙幣処理機５０、２個のカード処理機４０などが接続されている。
【００５３】
前記紙幣処理機５０には、図示しないが、紙幣鑑別器や紙幣搬送機構などが含まれている。各カード処理機４０は上下位置のカード受付口１５，１６に対応して設けられるもので、ロック機構４３、カード検出器４５、およびカード読取器４６を含んでいる。
ＣＰＵ９０にはさらに、管理装置５と通信を行うための通信インターフェース回路９４やパチンコ機２との間の各種制御信号を中継するためのインターフェース回路９５が接続されている。
【００５４】
制御装置９は、各カード処理機４０のカード検出器４５からの検出信号とカード読取器４６からの読取信号とから各カード受付口１５，１６におけるカードの有無と、会員カードか一般カードかの種別と、カードの金額価値とを判別し、その判別結果に基づいて、上位置のカード受付口１５でカードが受け付けられているときはそのカードについて、上下各位置のカード受付口１５，１６でカードが受け付けられているときは優先順位が高いカードについて入金処理と貸出処理との少なくとも一方を実行可能とする。
【００５５】
図６は、上記した制御装置９による制御の流れを示している。図中、「ＳＴ」は「ＳＴＥＰ」の略であり、一連の流れにおける各手順を示している。ＣＰＵ９０はＲＯＭ９１に格納されたプログラムに従ってＲＡＭ９２に対するデータの読み書きを実行しつつ入出力各部の動作を一連に制御する。
【００５６】
まず、ＣＰＵ９０は、同図のＳＴ１〜ＳＴ４において、遊技者もしくは係員の操作に待機している。いま、カード受付口１５，１６のいずれかにカードが挿入されると、ＳＴ１の判定が「ＹＥＳ」となってＳＴ５へ進み、カードが挿入されたのが上位置のカード受付口１５であるのか、下位置のカード受付口１６であるのかが判定される。上位置のカード受付口１５であれば、ＳＴ５の判定は「ＹＥＳ」であり、ＣＰＵ９０はロック機構４３を駆動させてカードをロック保持し、カード読取器４６にカード情報を読み取らせる（ＳＴ６，７）。
【００５７】
カードが下位置のカード受付口１６に挿入されたのであれば、ＳＴ５の判定は「ＮＯ」であり、つぎに上位置のカード受付口１５にカードが受け付けられた状態にあるかどうかが判定される（ＳＴ８）。もし、上位置のカード受付口１５にカードが受け付けられていれば、ＳＴ８の判定は「ＹＥＳ」であり、ＣＰＵ９０はロック機構４３を駆動させてカードをロック保持し、カード読取器４６にカード情報を読み取らせる（ＳＴ９，１０）。
もし、上位置のカード受付口１５にカードが受け付けられていなければ、ＳＴ８の判定は「ＮＯ」であり、挿入されたカードはロック保持されず、ばね４７によりカード受付口１６に押し出される。
【００５８】
ＳＴ１〜ＳＴ４の待機状態において、貨幣受付口１１に貨幣が挿入されると、ＳＴ２の判定が「ＹＥＳ」となってＳＴ１１へ進み、入金処理のための条件を満たすかどうかが判定される。ここでの条件は、例えば、上位置のカード受付口１５に一般カードまたは会員カードが受け付けられているかどうか、或いは上位置のカード受付口１５に一般カードが受け付けられかつ下位置のカード受付口１６に会員カードが受け付けられているかどうかなどであり、条件を満たす場合にはＳＴ１１の判定は「ＹＥＳ」であり、ＣＰＵ９０は入金処理を実行する（ＳＴ１２）。もし条件を満たさない場合にはＳＴ１１の判定は「ＮＯ」であり、投入された貨幣の返却が行われる（ＳＴ１３）。
【００５９】
ＳＴ１〜ＳＴ４の待機状態において、貸出スイッチ３３が操作されると、ＳＴ３の判定が「ＹＥＳ」となってＳＴ１４へ進み、貸出処理のための条件を満たすかどうかが判定される。ここでの条件は、例えば、上位置のカード受付口１５に金額価値が所定値以上の一般カードまたは会員カードが受け付けられているかどうか、或いは上位置のカード受付口１５に一般カードが受け付けられかつ下位置のカード受付口１６に金額価値が所定値以上の一般カードまたは会員カードが受け付けられているかどうかなどであり、条件を満たす場合にはＳＴ１４の判定は「ＹＥＳ」であり、ＣＰＵ９０は貸出処理を実行する（ＳＴ１５）。もし条件を満たさない場合にはＳＴ１４の判定は「ＮＯ」であり、貸出処理は実行されない。
【００６０】
ＳＴ１〜ＳＴ４の待機状態において、返却スイッチ３４が操作されると、ＳＴ４の判定が「ＹＥＳ」となってＳＴ１６へ進み、返却処理のための条件を満たすかどうかが判定される。ここでの条件は、例えば、上位置のカード受付口１５に会員カードまたは金額価値がゼロでない一般カードが受け付けられているかどうか、或いは上位置のカード受付口１５に金額価値がゼロの一般カードが受け付けられかつ下位置のカード受付口１６に会員カードまたは金額価値がゼロでない一般カードが受け付けられているかどうかなどであり、条件を満たす場合にはＳＴ１６の判定は「ＹＥＳ」であり、ＣＰＵ９０はロック機構４３をロック解除して返却処理を実行する（ＳＴ１７）。もし条件を満たさない場合にはＳＴ１６の判定は「ＮＯ」であり、返却処理は実行されない。
【図面の簡単な説明】
【００６１】
【図１】この発明にかかる玉貸機が導入された玉貸システムの構成を示すブロック図である。
【図２】隣接する玉貸機とパチンコ機との外観を示す正面図である。
【図３】玉貸機の外観を示す斜視図である。
【図４】カード処理機の内部構成を示す側面図である。
【図５】玉貸機の電気的な構成を示すブロック図である。
【図６】玉貸機における制御装置による制御の流れを示すフローチャートである。
【符号の説明】
【００６２】
１    玉貸機
２    パチンコ機
９    制御装置
１１  貨幣受付
１５，１６  カード受付
４５  カード検出器
４６  カード読取器
【図１】
2005160714.tif 000003
【図２】
2005160714.tif 000004
【図３】
2005160714.tif 000005
【図４】
2005160714.tif 000006
【図５】
2005160714.tif 000007
【図６】
2005160714.tif 000008